(57)【要約】【課題】  メンテナンスが良好に行え、かつ、室内の空調環境の快適性を向上できる空気調和装置を提供することを目的とする。【解決手段】  室内１００に開口し、室内１００側に向かうにつれて拡大されるノズル形とされた室内吹出口部１０３と、室内１００に開口し、室内１００側に向かうにつれて拡大されるノズル形とされた室内吸込口部１０７と、室外２００に設置され、室内吸引口部１０７から取り込まれた室内空気を室内熱交換器２１によって冷却または加熱して空調空気とし、空調空気を室内吹出口部１０３から室内に吹出す室外設置型室内ユニット５と、を備え、室内吸込口部１０７は、室内吹出口部１０３の内側に、軸線方向に移動可能に取り付けられていることを特徴とする。【選択図】      図３
2008185310.tif 000002
【特許請求の範囲】
【請求項１】
室内に開口し、該室内側に向かうにつれて拡大されるノズル形とされた室内吹出口部と、
該室内に開口し、該室内側に向かうにつれて拡大されるノズル形とされた室内吸込口部と、
室外に設置され、該室内吸引口部から取り込まれた室内空気を熱交換器によって冷却または加熱して空調空気とし、該空調空気を前記室内吹出口部から室内に吹出す室外設置型室内ユニットと、を備え、
前記室内吸込口部は、前記室内吹出口部の内側に、軸線方向に移動可能に取り付けられていることを特徴とする空気調和装置。
【請求項２】
人体検知センサを備え、
該人体検知センサの検出信号によって前記室内吸込口部を軸線方向に移動させることを特徴とする請求項２に記載された空気調和装置。
【請求項３】
前記室外設置型室内ユニットには、前記室内吸引口部から取り込まれた室内空気の少なくとも一部を、外部から取り入れた外部空気と熱交換して排出する全熱交換器が備えられていることを特徴とする請求項１または請求項２に記載された空気調和装置。
【発明の詳細な説明】
【技術分野】
【０００１】
本発明は、空気調和装置に関するものである。
【背景技術】
【０００２】
空気調和装置の室内ユニットは、居住空間、店舗等のスペースをできるだけ広く使えるようにするため、床置き形から壁掛け形、さらには天井吊下げ形、天井カセット形、天井埋込形と設置場所が室内の上の方に変化している。
しかし、いずれも基本的に室内に設置される形態であるため、フィルタの交換等の日常メンテナンスおよびドレン配管による水漏れ対応、熱交換器の洗浄、修理等のメンテナンスを行なう場合には、室内の養生が必要であるという問題があった。
また、例えば、室内配管が長くなるような場合には、室内景観を阻害する恐れがあった。
【０００３】
これを解消するものとして、例えば、特許文献１に示されるものが提案されている。
これは、室内ユニットが壁の外側に取り付けられ、壁の上部に空気を室内側に吹き出す空気吹出口が、床に近い位置に室内空気を室外側に吸い込む空気吸込口が設けられている。そして、室内ユニットは、その背面側に取外し可能に装着され、かつ、取外すことによって室内ユニットの内部機器を点検したり、追加オプション機器を取付けたりする室外側背面板を備えている。
また、たとえば、特許文献２に示されるように、空気吹出口の内側に、空気吸込口を備えて一箇所で吹出しと吸込みとを行い、吹き出しの気流によって囲まれるゾーンを形成するものも提案されている。
【０００４】
【特許文献１】特開２００４−２７８９９６号公報
【特許文献２】実開平３−７３８５１号公報
【発明の開示】
【発明が解決しようとする課題】
【０００５】
ところで、特許文献１に示されるものは、空気吹出口および空気吸込口のために建物の壁に２個の孔を開ける必要がある。建物の強度等を勘案すると望ましくなく、この孔はできるだけ小径のものとすることが求められる。
このように空気吹出口を小径とすると、吹き出される空気の速度（風速）が大きくなるので、特許文献１に図示されるように、空調された空気が、空気吹出口が設置されている壁に対向する壁に当り、該壁に沿って下降するように循環される。このため、空気吹出口が設置されている壁に近い部分は空調の効果が不十分となるという問題がある。
また、空気吹出口から吹き出される空調空気の向きを下向きに変更すると、風速の大きな空調空気が、人に直接当るようになり、人に不快感を与えるという問題がある。
【０００６】
また、特許文献２に示されるものは、一定の範囲を空調するもので、その範囲の外側では空調効果が不十分となるし、人が移動した際、吹き出しの気流が人に直接当るようになり、人に不快感を与えるという問題がある。
【０００７】
本発明は、上記問題点に鑑み、メンテナンスが良好に行え、かつ、室内の空調環境の快適性を向上できる空気調和装置を提供することを目的とする。
【課題を解決するための手段】
【０００８】
上記課題を解決するために、本発明は以下の手段を採用する。
すなわち、本発明にかかる空気調和装置は、室内に開口し、該室内側に向かうにつれて拡大されるノズル形とされた室内吹出口部と、該室内に開口し、該室内側に向かうにつれて拡大されるノズル形とされた室内吸込口部と、室外に設置され、該室内吸引口部から取り込まれた室内空気を熱交換器によって冷却または加熱して空調空気とし、該空調空気を前記室内吹出口部から室内に吹出す室外設置型室内ユニットと、を備え、前記室内吸込口部は、前記室内吹出口部の内側に、軸線方向に移動可能に取り付けられていることを特徴とする。
【０００９】
本発明にかかる空気調和装置は、室外に配置した室外設置型室内ユニットを作動させると、室内吸込口部から室内空気を取り込み、それを熱交換器によって冷却または加熱して空調空気とする。この空調空気は、室内吹出口部から室内に吹出され、室内の空気調和を行う。
このように、室外設置型室内ユニットは室外に設置されているので、フィルタの交換等、ドレン配管による水漏れ対応、熱交換器の洗浄、修理等のメンテナンスを室外で行うことができる。
このため、メンテナンスのために室内の養生が必要でなくなるので、その分メンテナンス作業を容易に行うことができる。
【００１０】
また、室内吸込口部は、室内吹出口部の内側に、軸線方向に移動可能に取り付けられているので、壁に設ける孔は１個で済み、２個設けるものに比べて建物の強度に及ぼす影響を少なくすることができる。
この場合、空調空気は室内吹出口部と室内吸込口部との間を通って室内に吹き出されることとなる。室内吹出口部および室内吸込口部は、ともに室内側に向かうにつれて拡大されるノズル形とされているので、空調空気は、外側に拡散するように吹き出される。
この外側に拡散する空調空気によってその内側の室内空気が誘引され、再循環流が形成されるので、室内空気は室内吸込口部に向かって付勢され、かつ、室内吸込口部から吸引されることによってさらに加速されて室外設置型室内ユニットに吸込まれる。
このように、室内空気が吸い込まれる範囲が広くなるので、室内の汚染空気、臭い等を早く排出することができる。
【００１１】
さらに、室内吹出口部および室内吸込口部は、ともに室内側に向かうにつれて拡大されるノズル形とされているので、室内吸込口部を軸線方向に移動させれば、室内吸込口部の先端部と室内吹出口部との隙間、言い換えれば、吹出面積の大きさが調節できる。
この隙間を小さくすれば、空調空気の吹出し速度が大きくなるので、空調空気を遠くまで届かせることができる。一方、この隙間を大きくすれば、空調空気の届く範囲を抑制することができる。
したがって、人がいる場所に対応して室内吸込口部の軸線方向位置を調節することによって、空調空気が人に直接当らないように、かつ、人の周囲を覆うように空調できるので、室内の空調環境の快適性を向上することができる。
【００１２】
また、本発明にかかる空気調和装置では、人体検知センサを備え、該人体検知センサの検出信号によって前記室内吸込口部を軸線方向に移動させることを特徴とする。
【００１３】
このように、本発明によれば、人体検知センサを備え、人体検知センサの検出信号によって室内吸込口部を軸線方向に移動させるので、自動的に、確実に、かつ、精度良く空調空気を直接人に当てないようにすることができる。
【００１４】
また、本発明にかかる空気調和装置では、前記室外設置型室内ユニットには、前記室内吸引口部から取り込まれた室内空気の少なくとも一部を、外部から取り入れた外部空気と熱交換して排出する全熱交換器が備えられていることを特徴とする。
【００１５】
本発明にかかる空気調和装置では、室内吸込口部から取り込まれた室内空気は、その少なくとも一部が全熱交換器によって外部から取り入れた外部空気と熱交換して排出される。残りの室内空気および全熱交換器で熱交換された外部空気は、熱交換器によって空調空気とされ、室内吹出口部から室内に吹き出される。
このように、室内空気を排出するとともに取り入れた外部空気と熱交換させる全熱交換器が備えられているので、省エネルギーによる換気を行うことができる。
また、室内熱交換器への冷媒の供給あるいは非供給によって冷暖房、換気、吸気等を適宜行うことができる。
このため、建築基準法によって義務付けされた換気用の設備（換気ユニット、給排気用のダクト等）を別途設置する必要がなくなる。
【発明の効果】
【００１６】
本発明によれば、室外設置型室内ユニットは室外に設置されているので、メンテナンス作業を容易に行うことができる。
また、室内側に向かうにつれて拡大されるノズル形とされている室内吸込口部は、室内側に向かうにつれて拡大されるノズル形とされている室内吹出口部の内側に、軸線方向に移動可能に取り付けられているので、室内の汚染空気、臭い等を早く排出することができるとともに室内の空調環境の快適性を向上することができる。
【発明を実施するための最良の形態】
【００１７】
以下、本発明の一実施形態について、図１〜図６を用いて説明する。
図１は本実施形態にかかる空気調和装置の設置状態を示す斜視図である。図２は、本実施形態にかかる室外設置型室内ユニットの内部概略構成を示す正面図である。図３および図４は、本実施形態にかかる室内吹出部部分の室内吸込口部の軸線方向位置の異なる状態を示す縦断面図である。図５は、本実施形態にかかる室内吹出部の空調空気吹出しと室内空気の吸込み状態を示す模式図である。図６は、本実施形態にかかる人の位置による空調状態を示す模式平面図である。
【００１８】
本実施形態にかかる空気調和装置１は、図１に示されるように１台の室外ユニット３に、複数台、例えば２台の室外設置型室内ユニット５が接続された、マルチ室内ユニットタイプと称されるものである。
これら室外ユニット３および室外設置型室内ユニット５は、冷媒が導通する冷媒配管である液管７およびガス管９や図示しない電気配線等により接続されている。
【００１９】
空気調和装置１は、室外ユニット３および室外設置型室内ユニット５内に設置された各機器を液管７およびガス管９によって接続し、冷媒が状態を変えて循環する冷媒回路を構成している。
室外ユニット３には、図示しない圧縮機、室外熱交換器、等が備えられている。
室外ユニット３は、冷房時には、冷却した液冷媒を液管７によって各室外設置型室内ユニット５へ供給し、暖房時には、高温高圧のガス冷媒を各室外設置型室内ユニット５に供給する。
【００２０】
室外設置型室内ユニット５には、図２に示されるように、各機器を収納するケーシング１１と、全熱交換器１３と、ロールフィルタ１５と、シロッコファン１７と、ファンモータ１９と、室内熱交換器（熱交換器）２１と、排気用ファン２３と、外部空気取入用ファン２５と、ゴミ排出ファン２７と、制御箱２９とが備えられている。
ケーシング１１は、略直方体形状をした中空体である。ケーシング１１の内部は、仕切部材３１によって全熱交換器１３等を設置する全熱交換器セクション３３と、室内熱交換器２１等を設置する室内熱交換器セクション３５と、シロッコファン１７等を設置する送風機セクション３７とに区切られている。
【００２１】
ケーシング１１の前面３９には、全熱交換器セクション３３、室内熱交換器セクション３５および送風機セクション３７が略全面に亘り開口している。
これらの開口部を覆うようにそれぞれ全熱交換器セクションパネル４１、室内熱交換器セクションパネル４３および送風機セクションパネル４５が備えられている。（図１参照）
全熱交換器セクションパネル４１、室内熱交換器セクションパネル４３および送風機セクションパネル４５は、前面３９にパッキン等を介して密封できるように着脱可能に取り付けられている。
【００２２】
ケーシング１１の前面３９と略直交するように交差する上面４７には、吸引ダクト４９が接続される吸引口部５１と、吹出ダクト５３が接続される吹出口部５５とが備えられている。
吸引口部５１は、全熱交換器セクション３３に位置し、吹出口部５５は室内熱交換器セクション３５に位置している。
ケーシング１１の上面４７および下面５７の両端部で、背面５９側には、ネジが切られた貫通孔６１を有する固定金具６３が固定して取付けられている。
【００２３】
排気用ファン２３は、全熱交換器セクション３３の外側面下部に排気開口部６７を有し、内側に開閉可能な排気扉６９を有する排気ダクト７１の中に取付けられている。
外部空気取入用ファン２５は、全熱交換器セクション３３に下部側面側に配置され、全熱交換器セクション３３の下面５７に取入開口部７３を有し、内側に開閉可能な取入扉７５を有する取入ダクト７７の中に取付けられている。
ゴミ排出ファン２７は、全熱交換器セクション３３の下部中央側に配置され、全熱交換器セクション３３の下面に排出開口部７９を有し、内側に開閉可能な排出扉８１を有する排出ダクト８３の中に取付けられている。
【００２４】
ロールフィルタ１５は、全熱交換器セクション３３と送風機セクション３７とを区切る仕切部材３１に設けられた開口部に設置され、シロッコファン１７に吸引されて通過する吸引口部５１から吸引された室内空気に含まれるダスト等のゴミを分離して回収する機能を奏する。
ロールフィルタ１５で回収されたゴミは図示しない掻き取り等の回収手段によって除去され、ゴミ排出ファン２７によって外部に排出される。
【００２５】
シロッコファン１７は、複数枚の羽根を環状配置させて円筒をなし、ファンモータ１９によって回転させられる。シロッコファン１７は、この羽根の回転によってこの円筒の軸線中心部に流入する空気を円筒の接線方向に向けて流路が形成された送風ダクト６５内を通って室内熱交換器２１に向けて送り出すものである。
室内熱交換器２１は、シロッコファン１７によって送られる空気を冷却あるいは加熱するもので、例えば、複数のプレートフィンを平行に配列するとともにその両側にそれぞれ側板を配置し、かつこれら側板および複数のプレートフィンの間に冷媒の流れるチューブを配設した構成とされている。
すなわち、このチューブの両端に液管７とガス管９とが接続されている。
液管７には、膨張弁８５とストレーナ８７とが備えられている。
【００２６】
空気調和装置１の運転等を制御する制御部が収納されている制御箱２９は、送風機セクション３７の下部に設置されている。
制御箱２９のシロッコファン１７側には、スピーカ８９が取付けられている。制御箱２９に設けられた図示しない信号処理回路によって、吹出ダクト５３内に設置されたマイクロフォン９１で検出された騒音波形をもとに、それと逆位相の音波形を出すような信号が形成され、スピーカ８９に供給される。スピーカ８９は、この信号に応じて指示された音波形に従った音を発生し、吹出ダクト５３および吸引ダクト４９を通って室内に伝播される騒音を低減するように構成されている。
【００２７】
室内熱交換器セクション３５の室内熱交換器２１の下方には室内熱交換器２１で発生するドレンを受けるドレンパン９３が備えられている。
ドレンパン９３に貯留したドレンは、ドレン管９５を通って機外に排出される。
ケーシング１１の下面５７には、液管７、ガス管９、図示しない配線等およびドレン管９５が通る貫通孔が備えられている。
【００２８】
このように構成された２台の室外設置型室内ユニット５を含む空気調和装置１は、図１に例示する集合住宅において次ぎのように設置されている。
室外ユニット３は、ベランダ９７の所定位置に載置される。
２台の室外設置型室内ユニット５は、部屋の外壁９９の外側、すなわち、室外２００側に取付けられている。
このように、室外設置型室内ユニット５は、室外２００側に取り付けられるので、室内１００のスペースを有効に活用することができる。
【００２９】
室外設置型室内ユニット５ａは、取付位置における幅方向寸法に余裕があるので、上面４７、すなわち、吸引ダクト４９および吹出ダクト５３が上になるように配置し、固定金具６３をコンクリートボルトによって外壁９９に固定することで取付けられる。
これは、前面３９が上下方向に延在するので、縦置きと称される。
なお、この縦置きで、取付位置における幅方向寸法が小さい場合、上面４７が側部になるように配置することができる。この場合、上下を逆にすることで、吸引ダクト４９および吹出ダクト５３をケーシング１１の左側あるいは右側に配置することができるので、集合住宅においてよく求められる左右勝手の違いに対応することができる。
【００３０】
そして、室外設置型室内ユニット５ｂは、設置位置における上下方向高さが小さいので、前面３９が下側に向き、かつ、横方向に延在する形（横置き）で設置される。
ケーシング１１は、固定金具６３が吊りボルト９８の先端に取付けられることによって、例えば、上の階のベランダ９７の下面に吊下げられる。
このように横置き配置とすると、設置場所の上下方向高さはケーシング１１の厚みと略同等以上あればよい。
なお、室外設置型室内ユニット５ｂを水平面内で１８０度回転させれば、吸引ダクト４９および吹出ダクト５３をケーシング１１の左側に配置することができるので、集合住宅においてよく求められる左右勝手の違いに対応することができる。
【００３１】
室外設置型室内ユニット５ａは、前面３９が外側に向いた状態で、室外設置型室内ユニット５ｂは前面３９が下側に向いた状態で取り付けられるので、全熱交換器セクションパネル４１、室内熱交換器セクションパネル４３および送風機セクションパネル４５に容易に接近することができる。
これは、上述した集合住宅においてよく求められる左右勝手の違いに対応した設置でも同様である。
【００３２】
したがって、全熱交換器セクションパネル４１、室内熱交換器セクションパネル４３あるいは送風機セクションパネル４５を取り外すことによって、ケーシング１１内部に取り付けられた機器のメンテナンスを簡単に、かつ、確実に実施することができる。
また、室外設置型室内ユニット５は室外に設置されているので、メンテナンスを室外で行うことができる。このため、メンテナンスのために室内の養生が必要でなくなるので、その分メンテナンス作業を容易に行うことができる。
【００３３】
外壁９９には、各室外設置型室内ユニット５に対して１個の略円筒形状の貫通孔１０１が設けられている。
貫通孔１０１の直径は、たとえば、１５０ｍｍとされる。貫通孔１０１の直径は、５０ｍｍ〜３００ｍｍの範囲で、風量、室内広さ等によって選択される。
貫通孔１０１は、新築の場合には事前に準備され、既設の建物に後付けする場合、孔を開けることになる。
なお、後付けの場合、貫通孔１０１は、たとえば、室外ユニット３と室内に配置される室内ユニットとを結ぶ液管７、ガス管９および図示しない配線等ならびに室内ユニットのドレンを排出するドレン管９５等を通すために設けられているエアコン穴を必要に応じて拡径して用いるようにしてもよい。
このように、外壁９９に設ける貫通孔１０１は１個で済むので、それを２個設けるものに比べて建物の強度に及ぼす影響を少なくすることができる。
【００３４】
吹出し側の貫通孔１０１には、室内吹出口部１０３が装着されている。
室内吹出口部１０３は、図３および図４に示されるように、中空の略円筒形状をしている。室内吹出口部１０３の室内１００側は、室内１００に向かってラッパ状に拡径されている。
室内吹出口部１０３は、貫通孔１０１に遊嵌され、両者の間隙は、シール材１０５によってシールされている。
室内吹出口部１０３の室外２００側には吹出ダクト５３の室内側端部が挿入され、たとえば、接着剤によって密着するように固定されている。
【００３５】
室内吹出口部１０３の内側には、中空の略円筒形状で、室内１００側がラッパ状に開いた形状をしている室内吸込口部１０７が、軸線方向に移動可能に設置されている。
室内吸込口部１０７の外周面には、ラック１０９が軸線方向に延在するように取り付けられている。
室内吹出口部１０３には、このラック１０９と噛合うピニオン１１１が回転可能に取り付けられている。ピニオン１１１は、図示しない駆動源によって回転駆動されるように構成されている。
室内吸込口部１０７の室内１００側端部には、略円錐形をしたセンサ支持部１１３が、頂部を室外側に向けて複数本、たとえば、３本の支柱１１５によって固定して取り付けられている。
【００３６】
センサ支持部１１３の室内１００側平面には、人体検知センサ１１７が設置されている。人体検知センサ１１７としては、たとえば、焦電効果を用いた熱型赤外線センサが用いられている。これに限らず種々の形式のものを用いてもよい。
人体検知センサ１１７の検知部（図示省略）は複数備えられ、それぞれの各検知部が室内１００の各部分をカバーするように配置されている。
人体検知センサ１１７は、室内全域をカバーするようにしてもよいし、人がよくいる場所のみをカバーするようにしてもよい。
吸込ダクト４９の室内１００側端部は、吹出ダクト５３の内側に挿入して取り付けられている。室内吸込口部１０７の室外２００側端部は吸込ダクト４９の室内１００側端部に軸線方向の移動が可能なように装着されている。
【００３７】
以上説明した本実施形態にかかる空気調和装置１の動作について説明する。
次に、空気調和装置１の各種運転について説明する。
まず、冷房運転を行う場合には、室外ユニット５から液管７により室内熱交換器２１に冷めたい液冷媒が供給される。その途中で液冷媒は膨張弁８５によって膨張され室内熱交換器２１に流入する。
そして、シロッコファン１７の回転により、吸込ダクト４９を介して吸引口部５１から取り入れられた室内空気は、ロールフィルタ１５でダスト等のゴミを分離された状態で、室内熱交換器２１を通過して冷却される。この室内熱交換器２１で冷却された空気（空調空気）が吹出口部５５および吹出ダクト５３を通って室内吹出口部１０３から室内に吹き出され、室内の冷房を行う。
【００３８】
室内熱交換器２１を流れる冷媒は、室内空気との熱交換によって暖められてガス化し、ガス管９を通って室外ユニット３に戻される。
このとき、室内空気に含まれる水蒸気が、冷媒によって冷却された室内熱交換器２１に触れて凝縮し、ドレンとなる。
このドレンは、ドレンパン９３に貯留され、ドレン管９５を通って機外に排出される。
【００３９】
また、暖房運転を行う場合には、室外ユニット５からガス管９により室内熱交換器２１に暖かいガス冷媒が運ばれ、上述の冷房運転と同様に流れる室内空気を暖める。
この室内熱交換器２１で加熱された空気（空調空気）が吹出口部５５および吹出ダクト５３を通って室内吹出口部１０３から室内に吹き出され、室内の暖房を行う。
室内熱交換器２１を流れる冷媒は、室内空気との熱交換によって冷却されて液化し、液管７を通って室外ユニット３に戻される。
【００４０】
この場合、排気扉６９および取入扉７５を開き、排気用ファン２３および外部空気取入用ファン２５を回転させる。
排気用ファン２３が回転すると吸引口部５１から取り入れられた室内空気の一部が全熱交換器１３に取り込まれ、全熱交換器１３および排気ダクト７１を通って排気開口部６７から外部に排気される。
一方、外部空気取入用ファン２５が回転すると、取入開口部７３から取入ダクト７７を通って全熱交換器１３に外部空気が供給される。
全熱交換器１３に供給された外部空気は、全熱交換器１３を通って排気される室内空気と熱交換され、残りの室内空気とともに室内熱交換器２１によって冷却あるいは加熱されて吹出ダクト５３を通り室内に供給される。
【００４１】
このように、室内空気の一部を排出するとともにそれと取り入れた外部空気との間で熱交換させる全熱交換器１３が備えられているので、省エネルギーを図った冷暖房を伴った換気を行うことができる。
室内熱交換器２１に冷媒を供給しない状態で、排気用ファン２３および外部空気取入用ファン２５を運転すれば、室内の環境を略維持した状態での換気を行うことができる。
また、外部空気取入用ファン２５のみを作動させれば、外部空気を取り込む（吸気）ことができる。
このように、本実施形態の空気調和装置１は、冷暖房、換気、吸気等の種々の運転を行うことができる。
このため、建築基準法によって義務付けされた換気用の設備（換気ユニット、給排気用のダクト等）を別途設置する必要がなくなる。
【００４２】
次に、室内吹出口部１０３部分における空調空気の吹出し、吸込み動作について説明する。
室内吸込口部１０７は、室内吹出口部１０３の内側に取り付けられているので、空調空気は室内吹出口部１０３と室内吸込口部１０７との間を通って室内に吹き出される。
このとき、室内吹出口部１０３および室内吸込口部１０７の室内１００側は、ともに室内１００側に向かいラッパ状に開いているので、空調空気は図５に示すように外側に拡散した気流Ｋとなる。気流Ｋは進むに連れて室内空気の抵抗により速度が低下する。
【００４３】
この外側に拡散する空調空気の気流Ｋによってその内側の室内空気が誘引され、再循環流Ｒが形成される。
この再循環流Ｒによって室内空気は室内吸込口部１０７に向かって付勢され、室内吸込口部１０７に向かい移動する。さらに、室内吸込口部１０７から吸引されることによって一層加速されて吸込ダクト４９を通って室内設置型室内ユニット５の内部に吸込まれる。
したがって、室内空気が室内吸込口部１０７から吸い込まれる範囲が広くなるので、室内の汚染空気、臭い、ゴミ等を早く室内設置型室内ユニット５に向かい排出することができる。
【００４４】
ピニオン１１１を図示しない駆動源によって作動させると、それと噛合うラック１０９が室内吹出口部１０３の軸線方向に移動する。このラックの移動に伴いそれと一体である室内吸込口部１０７が軸線方向に移動する。
図３は室内吸込口部１０７が室内１００側に移動した状態を示し、図４は室内吸込口部１０７が室外２００側に移動した状態を示している。
この移動により室内吸込口部１０７の先端部と室内吹出口部１０３との隙間Ｃは、変動する。すなわち、図３の室内吸込口部１０７が室内１００側に移動した時の隙間Ｃ１は、図４の室内吸込口部１０７が室外２００側に移動した時の隙間Ｃ２よりも大きくなっている。
【００４５】
すなわち、ピニオン１１１を作動して室内吸込口部１０７を軸線方向に移動すれば隙間Ｃの大きさ、言い換えれば、吹出面積の大きさを調節することができる。
この隙間を小さくすれば、空調空気の吹出し速度が大きくなるので、空調空気を図６の気流Ｋ１のように遠くまで届かせることができる。
一方、この隙間を大きくすれば、図６の気流Ｋ２のように空調空気の届く範囲を抑制することができる。
したがって、人１２０がいる場所に対応して室内吸込口部１０７の軸線方向位置を調節することによって、空調空気が人に直接当らないように、かつ、人の周囲を覆うように空調できるので、室内の空調環境の快適性を向上することができる。
【００４６】
人体検知センサ１１７の複数の検知部は、人のいる位置に検知範囲があるものがその存在を検知する。どの検知部が検知したかによって、図示しない制御部は、人の位置を特定する。
たとえば、図６に示されるように室内吹出口部１０３の反対側の壁面近くに人１２０がいる場合、それを検知した制御部は、図示しない駆動源によりピニオン１１１を作動させ、室内吸込口部１０７を図４に示すように室外２００側に移動する。これにより、空調空気は速度の速い気流Ｋ１となり、人１２０を覆うような空調を行うことができる。
【００４７】
一方、図６に示されるように室内の中央部に人１３０がいる場合、それを検知した制御部は、図示しない駆動源によりピニオン１１を作動させ、室内吸込口部１０７を図３に示すように室外２００側に移動する。これにより、空調空気は速度の比較的遅い気流Ｋ２となり、室内１００の途中で速度を失うようにするので、人１３０を覆うような空調を行うことができる。
このように、人体検知センサ１１７の検出信号によって室内吸込口部１０７を軸線方向に移動させ、空調空気の到達範囲を調節するので、自動的に、確実に、かつ、精度良く空調空気を直接人に当てないようにすることができ、室内の空調環境の快適性を向上することができる。
【００４８】
空調運転中には、制御箱２９に設けられた図示しない信号処理回路が、吹出ダクト５３内に設置されたマイクロフォン９１で検出された騒音波形をもとに、それと逆位相の音波形を出すような信号を形成し、スピーカ８９に供給する。
スピーカ８９は、この信号に応じて音波形に従った音を発生するので、騒音波形と音波形とは相互に打ち消され、低減される。
この場合、スピーカ８９が発生する音波形は騒音源であるシロッコファン１７、ファンモータ１９、排気用ファン２３、外部空気取入用ファン２５等が発生する騒音を低減させることになるので、騒音の低減が効率的であるとともに同時に吸引ダクト４９を介して伝播される騒音をも低減することができる。
【００４９】
なお、本発明は上述した実施形態に限定されるものではなく、本発明の要旨を逸脱しない範囲内において適宜変更することができる。
例えば、本実施形態では、本発明を室外ユニット３に対して複数の室外設置型室内ユニット５が取付けられるマルチ室内ユニットタイプに適用したとして説明したが、これに限定されるものではなく、室外ユニット３に対して１台の室外設置型室内ユニット５が設けられるタイプに適用してもよいし、その他の形式の空気調和装置に適用してもよい。
【図面の簡単な説明】
【００５０】
【図１】本発明の一実施形態にかかる空気調和装置の設置状態を示す斜視図である
【図２】本発明の一実施形態にかかる室外設置型室内ユニットの内部構造を示す正面図である。
【図３】本発明の一実施形態にかかる室内吸込口部が室内側に移動した状態を示す縦断面図である。
【図４】本発明の一実施形態にかかる室内吸込口部が室外側に移動した状態を示す縦断面図である。
【図５】本実施形態にかかる室内吹出部の空調空気吹出しと室内空気の吸込み状態を示す模式図である。
【図６】本実施形態にかかる人の位置による空調状態を示す模式平面図である。
【符号の説明】
【００５１】
１  空気調和装置
５，５ａ，５ｂ  室外設置型室内ユニット
１３  全熱交換器
２１  室内熱交換器
１００  室内
２００  室外
１０３  室内吹出口部
１０７  室内吸込口部
１１７  人体検知センサ
【図１】
2008185310.tif 000003
【図２】
2008185310.tif 000004
【図３】
2008185310.tif 000005
【図４】
2008185310.tif 000006
【図５】
2008185310.tif 000007
【図６】
2008185310.tif 000008